(57)【要約】【課題】畳の傍に小物を置いたり、飾りを置いたりするための板の間スペースを確保でき、且つ外観の美しい和室空間を容易に設置できる畳床収納ボックスユニットの壁際構造を提供する。【解決手段】収納部６を有し且つ平面視において畳半帖もしくは畳１帖と同形同大の収納ボックス４を床面５に複数並べて配置する。収納ボックス４と壁２との間に収納ボックス４に載置された畳３と略連続する板の間構成部材９を配置する。板の間構成部材９の収納ボックス４側の端部を収納ボックス４に連結する。板の間構成部材９の壁２側の端部を脚部材１０に取付ける。該脚部材１０を床面５に載置する。【選択図】        図１
2004230067.tif 000002
【特許請求の範囲】
【請求項１】
収納部を有し且つ平面視において畳半帖もしくは畳１帖と同形同大の収納ボックスを床面に複数並べて配置してなる畳床収納ボックスユニットの壁際構造において、収納ボックスと壁との間に収納ボックスに載置された畳と略連続する板の間構成部材を配置し、板の間構成部材の収納ボックス側の端部を収納ボックスに連結し、板の間構成部材の壁側の端部を脚部材に取付け、該脚部材を床面に載置してなることを特徴とする畳床収納ボックスユニットの壁際構造。
【請求項２】
上記板の間構成部材を、板の間を形成し且つ収納ボックスと壁との間に合わせて壁側の端部が切断可能な表面板と、表面板の収納ボックス側の端部から垂下する固定片とで構成すると共に、上記脚部材を、床面に載置される脚片と、脚片の側面上端部に設けた固定桟とで構成し、脚部材を固定桟が脚片の壁側に位置するように配置し、板の間構成部材の表面板の壁側の端部を脚片及び固定桟に載置し、板の間構成部材の固定片を壁側収納ボックスの壁側の側面に固着し、固定桟の下面側から挿入した固着具の先端を表面板の壁側の端部に固着してなることを特徴とする畳床収納ボックスユニットの壁際構造。
【発明の詳細な説明】
【０００１】
【発明の属する技術分野】
本発明は、平面視畳半帖もしくは畳１帖と同形同大の収納ボックスを床面に複数並べて配置し、これら複数の収納ボックスに畳を載置してなる畳床収納ボックスユニットの壁際構造に関するものである。
【０００２】
【従来の技術】
従来から、部屋の床面に和室空間を設置できる畳床収納ボックスユニットが知られている。この畳床収納ボックスユニットは、平面視において畳半帖と同形同大の収納ボックスを床面に複数並べて配置したものであって、畳敷きの必要な場所に複数の収納ボックスを組み合わせて床面に配置し、これら複数の収納ボックスの平面視全面に畳を載置することで、床面に大きさや形状の異なった様々な和室空間を容易に設置できる。またこれら複数の収納ボックスは収納として利用可能である（例えば特許文献１）。
【０００３】
【特許文献１】
特開平１１−２９９５５７号公報
【０００４】
【発明が解決しようとする課題】
しかしながら、上記従来例に示す畳床収納ボックスユニットによって形成された和室空間は平面視全面が畳敷きであり、畳に布団を敷く等して利用した際に枕元に小物を置いたり、飾りを置いたりするための板の間がなく、不便であり、またこのように畳敷きだけでは形成された空間が和室に見え難く、外観が美しくなかった。
【０００５】
本発明は上記の点に鑑みてなされたものであり、その目的とするところは、畳の傍に小物を置いたり、飾りを置いたりするための板の間スペースを確保でき、且つ外観の美しい和室空間を容易に設置できる畳床収納ボックスユニットの壁際構造を提供することを課題とするものである。
【０００６】
【課題を解決するための手段】
上記課題を解決するために本発明に係る畳床収納ボックスユニットの壁際構造は、収納部６を有し且つ平面視において畳半帖もしくは畳１帖と同形同大の収納ボックス４を床面５に複数並べて配置してなる畳床収納ボックスユニットの壁際構造において、収納ボックス４と壁２との間に収納ボックス４に載置された畳３と略連続する板の間構成部材９を配置し、板の間構成部材９の収納ボックス４側の端部を収納ボックス４に連結し、板の間構成部材９の壁２側の端部を脚部材１０に取付け、該脚部材１０を床面５に載置してなることを特徴とするものである。
【０００７】
このように収納ボックス４と壁２との間に収納ボックス４に載置された畳３と略連続する板の間構成部材９を配置し、板の間構成部材９の収納ボックス４側の端部を収納ボックス４に連結し、板の間構成部材９の壁２側の端部を脚部材１０に取付け、該脚部材１０を床面５に載置することで、壁２と畳３との間に小物や飾りを置いたりするための板の間を形成できる。さらにはこの板の間構成部材９は、収納ボックス４と脚部材１０とに連結されているため、構造上強固であり、また特に板の間構成部材９の壁２側の端部を脚部材１０に取付け、該脚部材１０を床面５に載置してあり、板の間構成部材９の壁２側の端部を脚部材１０によって支持しているため、例えば比較的幅方向に長い板の間構成部材９の上方から力が加わったとしても板の間構成部材９と収納ボックス４との連結は外れ難く、構造上より一層強固な板の間１９を設置することができる。
【０００８】
また請求項２記載の畳床収納ボックスユニットの壁際構造は、請求項１記載の畳床収納ボックスユニットの壁際構造において、上記板の間構成部材９を、板の間１９を形成し且つ収納ボックス４ｂと壁２との間に合わせて壁２側の端部が切断可能な表面板１１と、表面板１１の収納ボックス４ｂ側の端部から垂下する固定片１２とで構成すると共に、上記脚部材１０を、床面５に載置される脚片１４と、脚片１４の側面上端部に設けた固定桟１５とで構成し、脚部材１０を固定桟１５が脚片１４の壁２側に位置するように配置し、板の間構成部材９の表面板１１の壁２側の端部を脚片１４及び固定桟１５に載置し、板の間構成部材９の固定片１２を収納ボックス４ｂの壁２側の側面に固着し、固定桟１５の下面側から挿入した固着具１７の先端を表面板１１の壁２側の端部に固着してなることを特徴とするものである。
【０００９】
このように固定桟１５が脚片１４の壁２側に位置するように配置し、固定桟１５の下面側から挿入した固着具１７の先端を表面板１１の壁２側の端部に固着するといった構造により、板の間構成部材９をより一層強固に収納ボックス４ｂに連結でき、且つ施工者は板の間構成部材９の壁２側の端部と脚部材１０とを連結する際に脚片１４の外側から固着作業を行うことが可能となる。また、上記表面板１１は壁２側の端部が切断可能であるため、施工現場において表面板１１を切断することで、板の間１９の幅方向の長さを、好みや施工場所、壁２の形状などに合わせて自由に変更できる。
【００１０】
【発明の実施の形態】
以下、本発明を添付図面に示す実施形態に基づいて説明する。図２に示す畳床収納ボックスユニット１は、平面視において畳半帖もしくは畳１帖と同形同大の収納ボックス４を床面５に複数並べて配置してなる平面視矩形状のボックスユニット２０と、このボックスユニット２０の１側面を壁２に沿わせて配置した際においてボックスユニット２０と壁２との間に配置される板の間ユニット２１と、からなるものであって、上記ボックスユニット２０の上面に畳３を載置することで和室空間を設置でき、また収納ボックス４から畳３を取り外すことで、収納ボックス４内に設けた収納部６に収納物を収納したり、収納物を取り出したりできるようになっている。なお、ボックスユニット２０の２側面が壁２に沿うように部屋の角部に配置したり、３側面が壁に沿うように配置しても良く、すなわちボックスユニット２０の少なくとも１側面が壁２に沿うように配置されてあれば良いものとし、またボックスユニット１の平面視形状は上記矩形状に限られるものではないものとする。また上記収納ボックス４には、平面視において収納ボックス４と同形同大の畳２を予め載置もしくは着脱自在に取付けてあっても良いものとする。
【００１１】
以下上記畳床収納ボックスユニット１の各構成部材について詳述する。なお以下の畳床収納ボックスユニット１の説明に用いられる方向は、畳床収納ボックスユニット１を壁２に沿って配置し、この畳床収納ボックスユニット１に畳３を載置した状態におけるものとする。
【００１２】
各収納ボックス４は、内部が収納部６となった上方に開口する直方体（立方体であっても良い）の箱体７と、箱体７の上面に着脱自在に取付けられた箱体７の開口を閉塞する上蓋８（図１参照）とからなり、箱体７及び上蓋８は平面視において畳半帖もしくは畳１帖（本実施形態では畳半帖）と同形同大である。そして本実施形態では上蓋８を取り外すことで箱体７内の収納部６を利用できるようになっている。ここで、この上蓋８は箱体７の開口を容易に開閉できるように箱体７の上面に上蓋８を回動自在に取付けてあっても良い。また収納ボックス４は上記に限定されるものではなく、例えば最も外側（壁２側は除く）に配置された図２に示す収納ボックス４ａを、平面視において畳半帖もしくは畳１帖と同形同大で且つ外側に向かって開口する箱体と、箱体内部にスライド自在に収納されその内部が収納部となった上方に開口する引き出し体とで構成し、収納部内の収納物を収納ボックスの外側から引き出し可能な収納ボックスとしても良い。なお、この場合、収納ボックスの外側に露出した側面は引き出し体によって構成されているものとする。
【００１３】
そして本実施形態では上記畳半帖分の各収納ボックス４を床面５に縦横３つずつ並べて矩形状に配置することで、畳４帖半の和室空間を形成するボックスユニット２０を形成している。ここで、図示は省略するが、畳１帖分の収納ボックス４のみを複数組み合わせて６帖の和室空間を形成するボックスユニットを形成したり、畳１帖分の収納ボックス４と、畳半帖分の収納ボックス４との２種類の収納ボックス４を組み合わせて、４帖半の和室空間を形成するボックスユニット２０を形成しても良く、収納ボックス４の個数や、組み合わせ、配置は上記に限定されないものとする。
【００１４】
板の間ユニット２１は、図１、図２、図４に示すように上記ボックスユニット２０のうち最も壁２側に配置される収納ボックス４ｂと壁２との間に配置される板の間構成部材９と、収納ボックス４ｂと壁２との間の床面５に配置され且つ板の間構成部材９の壁２側の端部を取付けるための脚部材１０とからなる。
【００１５】
板の間構成部材９は、その上面が板の間１９となり且つ収納ボックス４ｂと壁２との間（隙間）に合わせて壁２側の端部が切断可能な表面板１１と、表面板１１の収納ボックス４ｂ側の端部から垂下する固定片１２とで構成され、断面Ｌ字状に形成されている。
【００１６】
表面板１１は、長手方向の長さが収納ボックス４ｂの所定倍の長手方向の長さと同じに形成されており、本実施形態では壁２側に配置された全ての収納ボックス４ｂ（３つ）分の長手方向の長さと同じ長さに形成されている。また、固定片１２は板状であり、上記表面板１１の収納ボックス４ｂ側の端部の長手方向の略全長に亘って一体に設けられている。
【００１７】
板の間構成部材９には、表面板１１の長手方向の両端部からその下面が固定片１２の下面と面一となる位置まで垂下する化粧板１３を表面板１１及び固定片１２と一体に設けてあり、該化粧板１３にて畳床収納ボックスユニット１の露出する側面の一部を構成し、板の間構成部材９の長手方向の両開口を閉塞している。またこの化粧板１３も上記表面板１１と同様、収納ボックス４ｂと壁２との間に合わせて壁２側の端部が切断可能である。また化粧板１３板を板の間構成部材９と別体とし、固着具等により板の間構成部材９と連結しても良いものとする。
【００１８】
脚部材１０は、床面５に載置される板状の脚片１４と、脚片１４の側面上端部に設けた固定桟１５とで構成してあり、断面Ｌ字状に形成している。脚片１４の長手方向の長さは表面板１１と略同じであり、特に本実施形態では、脚片１４が両化粧板１３、１３間に収まるように脚片１４の長手方向の長さを固定片１２と略同じにしてある。また固定桟１５は脚片１４の長手方向の全長に亘って一体に設けてある。
【００１９】
そして上記畳床収納ボックスユニット１を施工する場合は例えば以下のようにして行う。まず板の間構成部材９の表面板１１及び化粧板１３の壁４ｂ側の端部を収納ボックス４ｂと壁２との間に合わせて切断する。次いでこの板の間構成部材９の収納ボックス４ｂ側の端部と収納ボックス４ｂの壁２側の端部とを連結すると共に、板の間構成部材９の壁２側の端部を脚部材１０の上端部に取付ける。
【００２０】
板の間構成部材９と収納ボックス４ｂとを連結する場合は、固定片１２の収納ボックス４ｂ側の側面が収納ボックス４ｂの壁２側の側面に面接し、表面板１１が固定片１２よりも壁２側に位置するように配置する。この場合、板の間構成部材９は、固定片１２の下面と、収納ボックス４の下面とが面一となり、表面板１１の上面が収納ボックス４ｂに載置される畳３と略面一となるように配置される。特に本実施形態における表面板１１の上面は収納ボックス４ｂに載置された畳３の上面よりもやや低くなるように形成されており、畳３にて表面板１１の角部を隠し、人が表面板１１の角部で足を打ちつけないようにしている。そしてこのように配置された板の間構成部材９を収納ボックス４ｂの壁２側の側面に連結手段により固着して、板の間用構成部材９と収納ボックス４ｂとを連結する。
【００２１】
連結手段としては、ねじ具のような固着具を用い、図１に示すように固着具１６を箱体７の壁２側の側板７ａの上部の内面（収納部６）側から挿入し、この固着具１６の先端を固定片１２の上部に固着することで板の間用構成部材９と収納ボックス４ｂとの連結が行われる。なお連結手段は上記に限定されるものではなく、例えば固着具１６を固定片１２の壁２側の側面側から挿入し、この固着具１６の先端を箱体７の壁側の側板７ａに固着することで行っても良いし、また取付け金具などの止め具等によって行っても良いものとする。
【００２２】
板の間構成部材９を脚部材１０に取付ける場合は、板の間構成部材９の壁２側の端部を脚部材１０の固定桟１５及び脚片１４の上面に載置し、固定桟の下面側からねじ具のような固着具１７を挿入して、固着具１７の先端を板の間構成部材９の壁２側の端部に固着することで行い、表面板１１の上面に固着具１７が露出しないようにしている。ここで、脚部材１０は、脚部材１０の下面が固定片１２の下面と面一となり、表面板１１の壁２側の側面及び脚片１４の壁２側の側面が面一となるように配置されている。
【００２３】
そして上記のように板の間構成部材９と脚部材１０とを取り付けた収納ボックス４ｂと、その他の収納ボックス４ｃとを図２に示すように床面５に並べると共に、これら収納ボックス４の上面に畳３を載置し、この畳床収納ボックスユニット１を図１に示すように脚部材１０及び表面板１１の壁２側の側面が壁２に近接するように床面５に配置すること施工が完了する。なお図２の１８は、収納ボックス４及び化粧板１３を囲む縁材であり、上記畳床収納ボックスユニット１の壁２に沿った一側面を除く側面上端部に配設されており、該縁材１８の上面は畳３及び表面板１１と略面一となっているものとする。
【００２４】
ここで上記のように壁２に沿って設置された畳床収納ボックスユニット１の壁際構造について説明する。壁際における構造は、図１に示すように収納ボックス４ｂと壁２との間に畳３に略連続する板の間構成部材９を配置し、板の間構成部材９の収納ボックス４ｂ側の端部を収納ボックス４ｂに連結し、板の間構成部材９の壁２側の端部を脚部材１０に取付け、該脚部材１０を床面５に載置したものとなっている。
【００２５】
詳述すると、脚部材１０にあっては、脚片１４の下面が床面５に載置され、脚片１４の壁２側の側面が壁２に面接し、脚片１４の側面の上端部に設けた固定桟１５が脚片１４の収納ボックス４ｂ側に位置するように配置した状態となっている。また板の間用構成部材９にあっては、固定片１２の下面を床面５に載置し、固着具１６により固定片１２を箱体７の壁２側の側面に面接した状態で固着し、表面板１１の上面が畳３の上面と略面一となり（表面板１１の上面が畳３の上面よりもやや低くなり）、表面板１１の壁２側の端部が脚部材１０の脚片１４及び固定桟１５の上面に載置された状態で、表面板１１の壁２側の端部と固定桟１５の上端部とを固定桟１５の下面側より挿入された固着具１７により固着した状態となっている。
【００２６】
しかして、上記畳床収納ボックスユニット１によって壁２と収納ボックス４に載置された畳３との間に、小物や飾りを置いたりするための板の間１９を形成できる。またこのように板の間１９を形成することで、畳床収納ボックスユニット１によって外観の美しい和室空間を容易に設置できるようになる。
【００２７】
また上記板の間構成部材９は収納ボックス４及び脚部材１０に連結することで、構造上強固な板の間１９を設置することができる。特に本実施形態では、板の間構成部材９の壁２側の端部を脚部材１０に取付け、該脚部材１０を床面５に載置しているので、板の間構成部材９の壁２側の端部を脚部材１０によって支持でき、例えば図１の矢印イに示すように比較的幅方向に長い板の間構成部材９の上方から力が加わったとしても板の間構成部材９と収納ボックス４ｂとの連結が外れ難く、構造上より一層強固な板の間１９を設置することができる。
【００２８】
また、上記表面板１１は壁２側の端部が切断可能であるため、施工現場において表面板１１を切断することで、板の間１９の幅方向の長さを、好みや施工場所、壁２の形状などに合わせて自由に変更できる。
【００２９】
ところで上記における板の間構成部材９の壁２側の端部と脚部材１０の上端部との連結は、前述したように板の間１９の上面に固着具１７が露出しないようにするために、固定桟１５の下面側から固着具１７を挿入して、固着具１７の先端を板の間構成部材９の壁２側の端部に固着することで行われているが、この場合、施工者は板の間構成部材９の固定片１２と、脚部材１０の脚片１４との間に下方から手を入れて固着具１７を固着しなければならず、固着作業が困難であり、特に板の間１９の幅方向の長さが短い場合は、固定片１２と脚片１４との間に手が入らず、固着作業が非常に面倒であり、取付け精度も良くない。
【００３０】
そこで図３に示すように、図１の実施例で用いた脚部材１０と同じ脚部材１０を、図４の２点鎖線に示すように固定桟１５が脚片１４の壁２側に位置するように配置し、この固定桟１５及び脚部材１０に板の間構成部材９の壁２側の端部を載置し、固定桟１５の下面側から固着具１７を挿入して、固着具１７の先端を板の間構成部材９の壁２側の端部に固着することが好ましい。すなわち本例において板の間構成部材９の壁２側の端部と脚部材１０の上端部とを連結する場合は、脚片１４の外側（施工後における壁２側）から固着作業を行うのである。なお、図３における畳床収納ボックスユニットの壁際構造は、脚片１４ではなく固定桟１５の壁２側の側面が壁２に面接してある点のみが図１における壁際構造と異なるものであり、詳細な説明は省略する。
【００３１】
このように固定桟１５が脚片１４の壁２側に位置するように配置することで、施工者は板の間構成部材９の壁２側の端部と脚部材１０の上端部とを連結する際に脚片１４の外側から簡単に固着作業を行うことが可能となる。
【００３２】
またこの脚部材１０は図１における壁際構造に用いた脚部材１０と同じものであるため、本例のように固定桟１５が脚片１４の壁２側に位置するように配置したり、図１に示す例のように固定桟１５が脚片１４の壁２側に位置するように配置したりして、板の間１９の幅方向の長さや施工環境等に合わせて適宜変更することも可能である。
【００３３】
【発明の効果】
上記のように本発明の請求項１記載の発明にあっては、収納ボックスと壁との間に収納ボックスに載置された畳と略連続する板の間構成部材を配置し、板の間構成部材の収納ボックス側の端部を収納ボックスに連結し、板の間構成部材の壁側の端部を脚部材に取付け、該脚部材を床面に載置することで、壁と畳との間に小物や飾りを置いたりするための板の間を形成でき、畳床収納ボックスユニットによって外観の美しい和室空間を容易に設置できるようになる。さらにはこの板の間構成部材は、収納ボックスと脚部材とに連結されているため、構造上強固であり、また特に板の間構成部材の壁側の端部を脚部材に取付け、該脚部材を床面に載置してあり、板の間構成部材の壁側の端部を脚部材によって支持しているため、例えば比較的幅方向に長い板の間構成部材の上方から力が加わったとしても板の間構成部材と収納ボックスとの連結は外れ難く、構造上より一層強固な板の間を設置することができる。
【００３４】
また請求項２記載の発明にあっては、上記請求項１記載の発明の効果に加えて、固定桟が脚片の壁側に位置するように配置し、固定桟の下面側から挿入した固着具の先端を表面板の壁側の端部に固着するといった構造により、より一層強固に板の間構成部材を収納ボックスに連結でき、且つ施工者は板の間構成部材の壁側の端部と脚部材とを連結する際に脚片の外側から簡単に固着作業を行うことが可能となる。また、上記表面板は壁側の端部が切断可能であるため、施工現場において表面板を切断することで、板の間の幅方向の長さを、好みや施工場所、壁の形状などに合わせて自由に変更できる。
【図面の簡単な説明】
【図１】本発明の実施形態の一例の畳床収納ボックスユニットの壁際構造を示す断面図である。
【図２】同上の畳床収納ボックスユニットの斜視図である。
【図３】畳床収納ボックスユニットの壁際構造の他例を示す断面図である。
【図４】同上の板の間構成部材及び脚部材を示す斜視図である。
【符号の説明】
１  畳床収納ボックスユニット
２  壁
３  畳
４  収納ボックス
４ｂ  壁側の収納ボックス
５  床面
６  収納部
９  板の間構成部材
１０  脚部材
１１  表面板
１２  固定片
１４  脚片
１５  固定桟
１７  固着具
【図１】
2004230067.tif 000003
【図２】
2004230067.tif 000004
【図３】
2004230067.tif 000005
【図４】
2004230067.tif 000006